【事件の表示】
　特願２００４−３１８１８１「コンテンツ公開・課金システム」拒絶査定不服審判事件〔平成１８年　５月１８日出願公開、特開２００６−１２７４０３〕について、次のとおり審決する。
【結　論】
　本件審判の請求は、成り立たない。
【理　由】
第１　手続の経緯
　本願は，平成１６年１１月１日の出願であって，平成１９年５月２１日付けの拒絶理由通知に対して同年７月３０日付けで手続補正がなされたが，同年８月１６日付けで拒絶査定がなされ，これに対して同年９月２０日に拒絶査定に対する審判請求がなされるとともに同年１０月２２日付けで手続補正がなされ，さらに平成２１年７月２４日付けの審尋に対して同年９月２８日付けで回答書が提出されたものである。
　
第２　平成１９年１０月２２日付けの手続補正についての補正却下の決定 
　
　［補正却下の決定の結論］
  
　平成１９年１０月２２日付けの手続補正を却下する。 
　
［理由］
１．補正の内容について
　平成１９年１０月２２日付けの手続補正（以下，「本件補正」という。）は，特許請求の範囲についてするもので，本件補正前の請求項１〜１１を本件補正後の請求項１〜１１のように補正するものである。
　本件補正前後の特許請求の範囲は以下のとおりである。
　
＜本件補正前＞　
「　【請求項１】
　通信ネットワークを介して互いに接続された，コンテンツ提供者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，
　該サーバーコンピュータの記憶装置の一部をなし，上記サプライヤコンピュータから送信されたコンテンツを受信して格納するコンテンツ格納手段と，
　該サーバーコンピュータの中央処理装置の一部をなし，上記コンテンツ格納手段に格納されているコンテンツを上記ユーザーコンピュータに送信するコンテンツ送信手段と，
　上記中央処理装置の一部をなし，該サーバーコンピュータの利用に関してサーバー業者がコンテンツ提供者に対して課金すべき金額を上記サプライヤコンピュータに送信する課金金額送信手段とを備える一方，
　上記サプライヤコンピュータが，
　該サプライヤコンピュータの中央処理装置の一部をなし，コンテンツ提供者がコンテンツ利用者に対して課金すべき金額を上記ユーザーコンピュータに送信するサプライヤ用の課金金額送信手段を備えていて，上記サプライヤ用の課金金額送信手段は，コンテンツ利用者に対する上記課金を，サーバー業者によってコンテンツ提供者に割り当てられた，上記サーバーコンピュータの記憶装置内の記憶領域又はデータベースの利用権を対象として行うことを特徴とするコンテンツ公開・課金システム。
　　【請求項２】
　通信ネットワークを介して互いに接続された，コンテンツ提供者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，
　該サーバーコンピュータの記憶装置の一部をなし，上記サプライヤコンピュータから送信されたコンテンツを受信して格納するコンテンツ格納手段と，
　該サーバーコンピュータの中央処理装置の一部をなし，上記コンテンツ格納手段に格納されているコンテンツを上記ユーザーコンピュータに送信するコンテンツ送信手段と，
　上記中央処理装置の一部をなし，該サーバーコンピュータの利用に関してサーバー業者がコンテンツ提供者に対して課金すべき金額を上記サプライヤコンピュータに送信するとともに，サーバー業者がコンテンツ提供者に代行して，コンテンツ提供者がコンテンツ利用者に対して課金すべき金額を上記ユーザーコンピュータ及び上記サプライヤコンピュータに送信する課金金額送信手段とを備えていて，
　上記課金金額送信手段は，コンテンツ利用者に対する上記課金を，サーバー業者によってコンテンツ提供者に割り当てられた，上記サーバーコンピュータの記憶装置内の記憶領域又はデータベースの利用権を対象として行うことを特徴とするコンテンツ公開・課金システム。
　　【請求項３】
　上記コンテンツが，コンテンツ提供者によって作成されるものであって，
　上記サーバーコンピュータが，その中央処理装置の一部をなし，コンテンツ提供者のコンテンツ作成を支援するためのアプリケーションを上記サプライヤコンピュータに送信するコンテンツ作成支援手段を備えていることを特徴とする，請求項１又は２に記載のコンテンツ公開・課金システム。
　　【請求項４】
　上記サプライヤコンピュータ及びユーザーコンピュータが，それぞれ，通信ネットワークを利用した，画像及び／又は音声を含む視聴用コンテンツの販売システムにおける販売者側コンピュータ及び購入者側コンピュータであって，
　上記コンテンツ格納手段が，上記販売者側コンピュータから送信された視聴用コンテンツを格納し，
　上記コンテンツ送信手段が，上記コンテンツ格納手段に格納されている視聴用コンテンツを購入者側コンピュータに送信することを特徴とする，請求項１又は２に記載のコンテンツ公開・課金システム。
　　【請求項５】
　通信ネットワークを介して互いに接続された，コンテンツ作成者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，
　該サーバーコンピュータの中央処理装置の一部をなし，申込又は質問に対する回答を要求する内容のコンテンツを作成・編集するためのアプリケーションを上記サプライヤコンピュータに送信するコンテンツ作成・編集アプリケーション送信手段と，
　該サーバーコンピュータの記憶装置の一部をなし，上記サプライヤコンピュータで作成・編集されたコンテンツを受信して格納するコンテンツ格納手段と，
　上記中央処理装置の一部をなし，上記コンテンツ格納手段に格納されているコンテンツを上記ユーザーコンピュータに送信するコンテンツ送信手段と，
　上記中央処理装置の一部をなし，上記コンテンツに対してコンテンツ取得操作，閲覧操作又は回答操作を実行させるためのアプリケーションを上記ユーザーコンピュータに送信する回答操作実行アプリケーション送信手段と，
　上記中央処理装置の一部をなし，該サーバーコンピュータの利用に関してサーバー業者がコンテンツ作成者に対して課金すべき金額を上記サプライヤコンピュータに送信する課金金額送信手段とを備える一方，
　上記サプライヤコンピュータが，
　該サプライヤコンピュータの中央処理装置の一部をなし，コンテンツ作成者がコンテンツ利用者に対して課金すべき金額を上記ユーザーコンピュータに送信するサプライヤ用の課金金額送信手段を備えていて，上記サプライヤ用の課金金額送信手段は，コンテンツ利用者に対する上記課金を，サーバー業者によってコンテンツ作成者に割り当てられた，上記サーバーコンピュータの記憶装置内の記憶領域又はデータベースの利用権を対象として行うことを特徴とするコンテンツ公開・課金システム。
　　【請求項６】
　通信ネットワークを介して互いに接続された，コンテンツ作成者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，
　該サーバーコンピュータの中央処理装置の一部をなし，申込又は質問に対する回答を要求する内容のコンテンツを作成・編集するためのアプリケーションを上記サプライヤコンピュータに送信するコンテンツ作成・編集アプリケーション送信手段と，
　該サーバーコンピュータの記憶装置の一部をなし，上記サプライヤコンピュータで作成・編集されたコンテンツを受信して格納するコンテンツ格納手段と，
　上記中央処理装置の一部をなし，上記コンテンツ格納手段に格納されているコンテンツを上記ユーザーコンピュータに送信するコンテンツ送信手段と，
　上記中央処理装置の一部をなし，上記コンテンツに対してコンテンツ取得操作，閲覧操作又は回答操作を実行させるためのアプリケーションを上記ユーザーコンピュータに送信する回答操作実行アプリケーション送信手段と，
　上記中央処理装置の一部をなし，該サーバーコンピュータの利用に関してサーバー業者がコンテンツ作成者に対して課金すべき金額を上記サプライヤコンピュータに送信するとともに，サーバー業者がコンテンツ作成者に代行して，コンテンツ作成者がコンテンツ利用者に対して課金すべき金額を上記ユーザーコンピュータ及び上記サプライヤコンピュータに送信する課金金額送信手段とを備えていて，
　上記課金金額送信手段は，コンテンツ利用者に対する上記課金を，サーバー業者によってコンテンツ作成者に割り当てられた，上記サーバーコンピュータの記憶装置内の記憶領域又はデータベースの利用権を対象として行うことを特徴とするコンテンツ公開・課金システム。
　　【請求項７】
　上記サーバーコンピュータが，該サーバーコンピュータの中央処理装置の一部をなし，上記回答操作の実行結果を評価するためのアプリケーションを上記ユーザーコンピュータに送信する回答結果評価アプリケーション送信手段を備えていることを特徴とする，請求項５又は６に記載のコンテンツ公開・課金システム。
　　【請求項８】
　上記サーバーコンピュータが，
　該サーバーコンピュータの中央処理装置の一部をなし，サーバーコンピュータ側で上記回答操作の実行結果を評価する評価実行手段と，
　該サーバーコンピュータの記憶装置の一部をなし，上記評価の結果を格納する評価結果格納手段とを備えていることを特徴とする，請求項５〜７のいずれか１つに記載のコンテンツ公開・課金システム。
　　【請求項９】
　上記サーバーコンピュータが，該サーバーコンピュータの中央処理装置の一部をなし，上記サプライヤコンピュータで作成・編集されたコンテンツを用いて課題，正解，評価基準等を作成させるアプリケーションをユーザーコンピュータに送信する課題・評価基準作成アプリケーション送信手段を備えていることを特徴とする，請求項８に記載のコンテンツ公開・課金システム。
　　【請求項１０】
　上記サプライヤコンピュータ及びユーザーコンピュータが，それぞれ，通信ネットワークを利用した問題出題・解答システムにおける出題者側コンピュータ及び解答者側コンピュータであって，
　上記コンテンツ作成・編集用アプリケーション送信手段が，問題を作成・編集するための問題作成・編集アプリケーションを上記出題者側コンピュータに送信し，
　上記コンテンツ格納手段が，上記出題者側コンピュータで作成された問題を格納し，
　上記コンテンツ送信手段が，上記コンテンツ格納手段に格納されている問題を解答者側コンピュータに送信し，
　上記回答操作実行アプリケーション送信手段が，上記問題に対して解答操作を実行させるための解答操作実行アプリケーションを上記解答者側コンピュータに送信することを特徴とする，請求項５又は６に記載のコンテンツ公開・課金システム。
　　【請求項１１】
　上記サプライヤコンピュータ及びユーザーコンピュータが，それぞれ，通信ネットワークを利用したサービス提供の予約受付システムにおけるサービス提供者側コンピュータ及びサービス受領者側コンピュータであって，
　上記コンテンツ作成・編集用アプリケーション送信手段が，サービス提供の申込書を作成・編集するための申込書作成・編集アプリケーションを上記サービス提供者側コンピュータに送信し，
　上記コンテンツ格納手段が，上記サービス提供者側コンピュータで作成された申込書を格納し，
　上記コンテンツ送信手段が，上記コンテンツ格納手段に格納されている申込書をサービス受領者側コンピュータに送信し，
　上記回答操作実行アプリケーション送信手段が，上記申込書に対して申込操作を実行させるための申込操作実行アプリケーションを上記サービス受領者側コンピュータに送信することを特徴とする，請求項５又は６に記載のコンテンツ公開・課金システム。」
　
＜本件補正後＞　
「　【請求項１】
　通信ネットワークを介して互いに接続された，コンテンツ提供者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，任意のサプライヤに対して個別の専用の記憶領域又はデータベースを割り当てる機能を備えていて，
　該サーバーコンピュータの記憶装置の一部をなし，上記サプライヤコンピュータから送信されたコンテンツを受信して格納するコンテンツ格納手段と，
　該サーバーコンピュータの中央処理装置の一部をなし，上記コンテンツ格納手段に格納されているコンテンツを上記ユーザーコンピュータに送信するコンテンツ送信手段と，
　上記中央処理装置の一部をなし，該サーバーコンピュータの利用に関してサーバー業者がコンテンツ提供者に対して課金すべき金額を上記サプライヤコンピュータに送信する課金金額送信手段とを備える一方，
　上記サプライヤコンピュータが，
　該サプライヤコンピュータの中央処理装置の一部をなし，コンテンツ提供者がコンテンツ利用者に対して課金すべき金額を上記ユーザーコンピュータに送信するサプライヤ用の課金金額送信手段を備えていて，上記サプライヤ用の課金金額送信手段は，コンテンツ利用者に対する上記課金を，サーバー業者によってコンテンツ提供者に割り当てられた，上記サーバーコンピュータの記憶装置内の記憶領域又はデータベースの利用権を対象として行うことを特徴とするコンテンツ公開・課金システム。
　　【請求項２】
　通信ネットワークを介して互いに接続された，コンテンツ提供者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，任意のサプライヤに対して個別の専用の記憶領域又はデータベースを割り当てる機能を備えていて，
　該サーバーコンピュータの記憶装置の一部をなし，上記サプライヤコンピュータから送信されたコンテンツを受信して格納するコンテンツ格納手段と，
　該サーバーコンピュータの中央処理装置の一部をなし，上記コンテンツ格納手段に格納されているコンテンツを上記ユーザーコンピュータに送信するコンテンツ送信手段と，
　上記中央処理装置の一部をなし，該サーバーコンピュータの利用に関してサーバー業者がコンテンツ提供者に対して課金すべき金額を上記サプライヤコンピュータに送信するとともに，サーバー業者がコンテンツ提供者に代行して，コンテンツ提供者がコンテンツ利用者に対して課金すべき金額を上記ユーザーコンピュータ及び上記サプライヤコンピュータに送信する課金金額送信手段とを備えていて，
　上記課金金額送信手段は，コンテンツ利用者に対する上記課金を，サーバー業者によってコンテンツ提供者に割り当てられた，上記サーバーコンピュータの記憶装置内の記憶領域又はデータベースの利用権を対象として行うことを特徴とするコンテンツ公開・課金システム。
　　【請求項３】
　上記コンテンツが，コンテンツ提供者によって作成されるものであって，
　上記サーバーコンピュータが，その中央処理装置の一部をなし，コンテンツ提供者のコンテンツ作成を支援するためのアプリケーションを上記サプライヤコンピュータに送信するコンテンツ作成支援手段を備えていることを特徴とする，請求項１又は２に記載のコンテンツ公開・課金システム。
　　【請求項４】
　上記サプライヤコンピュータ及びユーザーコンピュータが，それぞれ，通信ネットワークを利用した，画像及び／又は音声を含む視聴用コンテンツの販売システムにおける販売者側コンピュータ及び購入者側コンピュータであって，
　上記コンテンツ格納手段が，上記販売者側コンピュータから送信された視聴用コンテンツを格納し，
　上記コンテンツ送信手段が，上記コンテンツ格納手段に格納されている視聴用コンテンツを購入者側コンピュータに送信することを特徴とする，請求項１又は２に記載のコンテンツ公開・課金システム。
　　【請求項５】
　通信ネットワークを介して互いに接続された，コンテンツ作成者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，任意のサプライヤに対して個別の専用の記憶領域又はデータベースを割り当てる機能を備えていて，
　該サーバーコンピュータの中央処理装置の一部をなし，申込又は質問に対する回答を要求する内容のコンテンツを作成・編集するためのアプリケーションを上記サプライヤコンピュータに送信するコンテンツ作成・編集アプリケーション送信手段と，
　該サーバーコンピュータの記憶装置の一部をなし，上記サプライヤコンピュータで作成・編集されたコンテンツを受信して格納するコンテンツ格納手段と，
　上記中央処理装置の一部をなし，上記コンテンツ格納手段に格納されているコンテンツを上記ユーザーコンピュータに送信するコンテンツ送信手段と，
　上記中央処理装置の一部をなし，上記コンテンツに対してコンテンツ取得操作，閲覧操作又は回答操作を実行させるためのアプリケーションを上記ユーザーコンピュータに送信する回答操作実行アプリケーション送信手段と，
　上記中央処理装置の一部をなし，該サーバーコンピュータの利用に関してサーバー業者がコンテンツ作成者に対して課金すべき金額を上記サプライヤコンピュータに送信する課金金額送信手段とを備える一方，
　上記サプライヤコンピュータが，
　該サプライヤコンピュータの中央処理装置の一部をなし，コンテンツ作成者がコンテンツ利用者に対して課金すべき金額を上記ユーザーコンピュータに送信するサプライヤ用の課金金額送信手段を備えていて，上記サプライヤ用の課金金額送信手段は，コンテンツ利用者に対する上記課金を，サーバー業者によってコンテンツ作成者に割り当てられた，上記サーバーコンピュータの記憶装置内の記憶領域又はデータベースの利用権を対象として行うことを特徴とするコンテンツ公開・課金システム。
　　【請求項６】
　通信ネットワークを介して互いに接続された，コンテンツ作成者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，任意のサプライヤに対して個別の専用の記憶領域又はデータベースを割り当てる機能を備えていて，
　該サーバーコンピュータの中央処理装置の一部をなし，申込又は質問に対する回答を要求する内容のコンテンツを作成・編集するためのアプリケーションを上記サプライヤコンピュータに送信するコンテンツ作成・編集アプリケーション送信手段と，
　該サーバーコンピュータの記憶装置の一部をなし，上記サプライヤコンピュータで作成・編集されたコンテンツを受信して格納するコンテンツ格納手段と，
　上記中央処理装置の一部をなし，上記コンテンツ格納手段に格納されているコンテンツを上記ユーザーコンピュータに送信するコンテンツ送信手段と，
　上記中央処理装置の一部をなし，上記コンテンツに対してコンテンツ取得操作，閲覧操作又は回答操作を実行させるためのアプリケーションを上記ユーザーコンピュータに送信する回答操作実行アプリケーション送信手段と，
　上記中央処理装置の一部をなし，該サーバーコンピュータの利用に関してサーバー業者がコンテンツ作成者に対して課金すべき金額を上記サプライヤコンピュータに送信するとともに，サーバー業者がコンテンツ作成者に代行して，コンテンツ作成者がコンテンツ利用者に対して課金すべき金額を上記ユーザーコンピュータ及び上記サプライヤコンピュータに送信する課金金額送信手段とを備えていて，
　上記課金金額送信手段は，コンテンツ利用者に対する上記課金を，サーバー業者によってコンテンツ作成者に割り当てられた，上記サーバーコンピュータの記憶装置内の記憶領域又はデータベースの利用権を対象として行うことを特徴とするコンテンツ公開・課金システム。
　　【請求項７】
　上記サーバーコンピュータが，該サーバーコンピュータの中央処理装置の一部をなし，上記回答操作の実行結果を評価するためのアプリケーションを上記ユーザーコンピュータに送信する回答結果評価アプリケーション送信手段を備えていることを特徴とする，請求項５又は６に記載のコンテンツ公開・課金システム。
　　【請求項８】
　上記サーバーコンピュータが，
　該サーバーコンピュータの中央処理装置の一部をなし，サーバーコンピュータ側で上記回答操作の実行結果を評価する評価実行手段と，
　該サーバーコンピュータの記憶装置の一部をなし，上記評価の結果を格納する評価結果格納手段とを備えていることを特徴とする，請求項５〜７のいずれか１つに記載のコンテンツ公開・課金システム。
　　【請求項９】
　上記サーバーコンピュータが，該サーバーコンピュータの中央処理装置の一部をなし，上記サプライヤコンピュータで作成・編集されたコンテンツを用いて課題，正解，評価基準等を作成させるアプリケーションをユーザーコンピュータに送信する課題・評価基準作成アプリケーション送信手段を備えていることを特徴とする，請求項８に記載のコンテンツ公開・課金システム。
　　【請求項１０】
　上記サプライヤコンピュータ及びユーザーコンピュータが，それぞれ，通信ネットワークを利用した問題出題・解答システムにおける出題者側コンピュータ及び解答者側コンピュータであって，
　上記コンテンツ作成・編集用アプリケーション送信手段が，問題を作成・編集するための問題作成・編集アプリケーションを上記出題者側コンピュータに送信し，
　上記コンテンツ格納手段が，上記出題者側コンピュータで作成された問題を格納し，
　上記コンテンツ送信手段が，上記コンテンツ格納手段に格納されている問題を解答者側コンピュータに送信し，
　上記回答操作実行アプリケーション送信手段が，上記問題に対して解答操作を実行させるための解答操作実行アプリケーションを上記解答者側コンピュータに送信することを特徴とする，請求項５又は６に記載のコンテンツ公開・課金システム。
　　【請求項１１】
　上記サプライヤコンピュータ及びユーザーコンピュータが，それぞれ，通信ネットワークを利用したサービス提供の予約受付システムにおけるサービス提供者側コンピュータ及びサービス受領者側コンピュータであって，
　上記コンテンツ作成・編集用アプリケーション送信手段が，サービス提供の申込書を作成・編集するための申込書作成・編集アプリケーションを上記サービス提供者側コンピュータに送信し，
　上記コンテンツ格納手段が，上記サービス提供者側コンピュータで作成された申込書を格納し，
　上記コンテンツ送信手段が，上記コンテンツ格納手段に格納されている申込書をサービス受領者側コンピュータに送信し，
　上記回答操作実行アプリケーション送信手段が，上記申込書に対して申込操作を実行させるための申込操作実行アプリケーションを上記サービス受領者側コンピュータに送信することを特徴とする，請求項５又は６に記載のコンテンツ公開・課金システム。」
　
　本件補正は，以下の補正事項１〜４を含むものである。
　
（１）補正事項１
　請求項１において，「任意のサプライヤに対して個別の専用の記憶領域又はデータベースを割り当てる機能を備えていて，」との事項を追加する補正。
　
（２）補正事項２
　請求項２において，「任意のサプライヤに対して個別の専用の記憶領域又はデータベースを割り当てる機能を備えていて，」との事項を追加する補正。
　
（３）補正事項３
　請求項５において，「任意のサプライヤに対して個別の専用の記憶領域又はデータベースを割り当てる機能を備えていて，」との事項を追加する補正。
　
（４）補正事項４
　請求項６において，「任意のサプライヤに対して個別の専用の記憶領域又はデータベースを割り当てる機能を備えていて，」との事項を追加する補正。
　
２．補正の目的
　上記補正事項１〜４は，いずれも補正前の各請求項に記載された発明を特定するための構成である「サーバーコンピュータ」を「任意のサプライヤに対して個別の専用の記憶領域又はデータベースを割り当てる機能を備え」ることに限定するものであるから，限定的減縮を目的とするものである。
　したがって，本件補正は，平成１８年法律第５５号改正附則第３条第１項によりなお従前の例によるとされる同法による改正前の特許法（以下，「改正前特許法」という。）第１７条の２第４項第２号に掲げられた「特許請求の範囲の減縮」を目的とする補正に該当する。
　
　そこで，本件補正後の請求項２に係る発明（以下，「本件補正発明」という。）が，特許出願の際独立して特許を受けることができるものであるか（改正前特許法第１７条の２第５項において準用する同法第１２６条第５項の規定に適合するか）について以下に検討する。
　
　本件補正発明を再掲すると以下のとおりである。
　
「　【請求項２】
　通信ネットワークを介して互いに接続された，コンテンツ提供者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，任意のサプライヤに対して個別の専用の記憶領域又はデータベースを割り当てる機能を備えていて，
　該サーバーコンピュータの記憶装置の一部をなし，上記サプライヤコンピュータから送信されたコンテンツを受信して格納するコンテンツ格納手段と，
　該サーバーコンピュータの中央処理装置の一部をなし，上記コンテンツ格納手段に格納されているコンテンツを上記ユーザーコンピュータに送信するコンテンツ送信手段と，
　上記中央処理装置の一部をなし，該サーバーコンピュータの利用に関してサーバー業者がコンテンツ提供者に対して課金すべき金額を上記サプライヤコンピュータに送信するとともに，サーバー業者がコンテンツ提供者に代行して，コンテンツ提供者がコンテンツ利用者に対して課金すべき金額を上記ユーザーコンピュータ及び上記サプライヤコンピュータに送信する課金金額送信手段とを備えていて，
　上記課金金額送信手段は，コンテンツ利用者に対する上記課金を，サーバー業者によってコンテンツ提供者に割り当てられた，上記サーバーコンピュータの記憶装置内の記憶領域又はデータベースの利用権を対象として行うことを特徴とするコンテンツ公開・課金システム。」
　
３．引用例 
　
（１）引用例１
　原査定の拒絶の理由に引用された，本願の出願日前である平成１５年９月１２日に頒布された特開２００３−２５６７３７号公報（以下，「引用例１」という。）には，図面とともに，次の（ア）乃至（キ）の事項が記載されている。
　
（ア）「【０００１】
【発明の属する技術分野】本発明は，インターネット等のネットワークを介して個人間でコンテンツを売買する際に購入者に販売代金を課金するための個人間決済支援方法に，関する。
【０００２】
【従来の技術】パソコン通信やインターネット等のネットワークの一般への浸透に伴って，商品価値あるコンテンツを生成した個人が，そのコンテンツを，ネットワークを通じて広く第三者に販売することが，可能となっている。従来，ネットワークを通じて販売されていたコンテンツとしては，例えば，写真，イラスト等の画像データ，ＭＩＤＩ，ＭＰ３等の音楽データ，小説，時事レポート等のテキストデータ，シェアウェアと呼ばれるコンピュータプログラムが，例示される。」
　
（イ）「【００１０】
【発明の実施の形態】以下，図面に基づいて，本発明による個人間決済方法の実施の形態を，説明する。
（システム構成）図１は，上記個人間決済方法が実施されているネットワークシステムの概略構成を示すブロック図である。この図１に示されるように，このネットワークシステムは，本発明による個人間決済方法を実施するために構成された１台の支援サーバ装置１と，ウェッブページを公開している複数の一般的なウェッブサーバ装置３（図１においては１台のみ図示）と，複数のユーザ端末２（図１においては２台［２ａ，２ｂ］のみ図示）とから，構成されている。この支援サーバ装置１は，インターネット接続サービス（ＩＳＰ）及び有料コンテンツ提供サービスを実施する業者（以下，「サービス提供者」と称する）によって運営されており，このサービス提供者と予め契約を結んでいる会員（以下，単に「会員」と称する）が操作するユーザ端末２に対してこれら各サービスを実施するとともに，アクセス資格を問わずにウェッブコンテンツ（ＨＴＭＬデータ，その他のデジタルコンテンツ）をインターネット上に公開する装置である。なお，図１においては，説明の都合上，支援サーバ装置１を１台のコンピュータとして図示したが，支援サーバ装置１が持つとしている各機能が，夫々，サービス提供者によって運営されている別々のコンピュータに分担されていても良いし，個々の機能が複数のコンピュータに分散されて実現されても良い。
【００１１】図１に示された各ユーザ端末２ａ，２ｂは，このサービス提供者と予め契約を結んでいる会員が操作するユーザ端末であるので，支援サーバ装置１に対して，インターネットＮを介して（ゲートウェイ接続にて）接続できるとともに，アクセスポイント４を介して（アクセスポイント接続にて）接続できる。また，各ユーザ端末２ａ，２ｂは，他の一般的なウェッブサーバ装置３に対して，インターネットＮを介して（若しくは，アクセスポイント４経由で接続し支援サーバ装置１によるインターネット接続サービスを通じて），アクセスすることができる。」
　
（ウ）「【００１５】支援サーバ装置１は，ここでは一台のコンピュータであるとして説明するので，互いにバスＢによって接続されたＣＰＵ１０，通信アダプタ１１，ＲＡＭ１２及びハードディスク１３から，構成されている。これらのうち，ＣＰＵ１０は，この支援サーバ装置１全体の制御を行う中央処理装置である。また，ＲＡＭ１２は，ＣＰＵ１０が各種処理を実行するに際しての作業領域が展開される主記憶装置である。また，通信アダプタ１１は，インターネットＮが構築されている回線（インターネットバックボーン）及びアクセスポイント４に繋がる回線（ＷＡＮ［Wide Area Network］）とのインターフェースをなす通信装置である。
【００１６】ハードディスク１３は，ＣＰＵ２０によって読み出されて実行される各種プログラム１３０及び各種データを格納している記憶装置である。このハードディスク１３が格納している各種プログラム１３０には，この支援サーバ装置１の本来の機能であるインターネット接続サービス及び有料コンテンツ提供サービスを実施するためのシステム（図示略），これら各サービスを会員に対して実施する際にアクセス元会員の認証を行うために元々プログラミングされた認証システム１２０，各会員に対して各サービスに対する会費を課金するために元々プログラミングされた第２のプログラムとしての課金システム１２１の他，本発明による個人間決済支援方法を実施するための第１のプログラムとしての個人間販売システム１２２が，含まれている。この個人間販売システム１２２は，具体的には，一般的なＷＷＷサーバプログラム１２２０と，このＷＷＷサーバプログラム１２２０が夫々に対応するＵＲＬを指定したＨＴＴＰリクエストメッセージを受信した時に起動される利用受付ＣＧＩ［Common Gateway Interface］１２２１，盗品登録ＣＧＩ１２２２，販売ＣＧＩ１２２３及び振込管理ＣＧＩ１２２４とから，構成されている。
【００１７】なお，これら各種プログラムは，実際には，ハードディスク１３からＲＡＭ１２上に順次ページングされて実行されるが，図１では，ＲＡＭ１２の容量が非常に大きいものであるとの想定の下で，これら各種プログラムの全てがＲＡＭ１２上に展開された状態が示されている（但し，インターネット接続サービス及び有料コンテンツ提供サービスを実施するためのシステムについては，図示略）。
【００１８】また，ハードディスク１３が格納している各種データには，ＷＷＷサーバ１２２０が各ユーザ端末２からのＨＴＴＰリクエストメッセージに応じて直接（各ＣＧＩによることなく）読み出して応答することができる静的なウェッブページ（図７に示す個人間販売システムトップページを表示するためのＨＴＭＬデータ１３１０を含む）を格納するウェッブページ領域１３１，図示せぬインターネット接続サービス及び有料コンテンツ提供サービスを実施するためのシステムによってレコードの登録がなされて認証システム１２０及び販売ＣＧＩ１２２３によって参照される会員管理テーブル１３２，利用受付ＣＧＩ１２２１によってレコードの登録がなされて認証システム１２０によって参照される販売者情報テーブル１３３，商品登録ＣＧＩ１２２２によってレコードの登録がなされて販売ＣＧＩ１２２３によって参照される商品情報テーブル１３４，販売ＣＧＩ１２２３によってレコードの登録がなされて課金システム１２１によって参照される購入情報テーブル１３５，商品登録１２２２によってアップロードされて販売ＣＧＩ１２２３のみによってダウンロードされる販売対象コンテンツ（以下，「商品」という）を格納するライブラリ１３６，及び，課金システム１２１によってデータが更新され且つこの課金システム１２１及び振込管理ＣＧＩ１２２４によって参照される預り金リスト１３７が，含まれている。なお，図１上では，ＲＡＭ１２上に展開された各種プログラム１３０とハードディスク１３内の各データとの間での情報の流れが，破線によって示されている。
【００１９】図２は，会員管理テーブル１３２のデータ構造を概略的に示す表である。この図２に示されるように，会員管理テーブル１３２には，各会員毎に，その会員の識別情報である会員ＩＤ，この会員ＩＤに１対１対応したパスワード，その会員の氏名及び電子メールアドレス，その会員が所有するクレジットカードのうち会費の決済用に指定したものの発行会社を識別するクレジットカード会社番号，そのクレジットカードのカード番号及び有効期限，等の情報からなるレコードが，登録されている。
【００２０】図３は，販売者情報テーブル１３３のデータ構造を概略的に示す表である。この図３に示されるように，販売者情報テーブル１３３には，会員のうち，個人間販売システム１２２を利用しての商品の販売を希望して申請した者（以下，「販売者」と称する）の夫々について，その識別情報である販売者ＩＤ（会員ＩＤと一致），その販売者が商品の販売代金の振込用に指定した銀行口座の銀行名，支店名，口座種別及び口座名義，等の情報からなるレコードが，登録されている。
【００２１】図４は，商品情報テーブル１３４のデータ構造を概略的に示す表である。この図４に示されるように，商品情報テーブル１３４は，各販売者が販売を希望した各商品毎に，その識別番号である商品番号，その商品の販売者の販売者ＩＤ，その商品の販売代金の課金方法を特定する課金形態，その商品を販売するためにライブラリ１３６を用いるか否かを特定する販売形態（課金形態を特定するための情報に相当），その商品の商品名，その商品の販売価格（課金形態が月額課金又は年額課金である場合には課金毎の徴収額），その商品のファイル名（販売形態がライブラリ使用である場合）又はＵＲＬ（販売形態がライブラリ不使用である場合），ライブラリ１３６内におけるその商品のファイルまでのパス，その商品のジャンル，その商品についての説明文，等の情報からなるレコードが，登録されている。ハードディスク１３における当該商品情報テーブル１３４を格納している部分が，第１記憶装置に相当する。
【００２２】なお，課金形態を示す情報としては，商品の販売時に一括して販売代金を課金する都度課金の場合には“０”，商品を使用する限り使用料又はライセンス料として毎月課金する月額課金の場合には“１”，販売時の翌月までは無料とする月額課金の場合には“２”，商品を使用する限り使用料又はライセンス料として毎年課金する年額課金の場合には“３”，販売時の翌月までは無料とする年額課金の場合には“４”が，設定される。
【００２３】また，販売形態を示す情報としては，商品をライブラリ１３６へ格納することによってその配信（ダウンロード）までをも販売者が個人間販売システム１２２（販売ＣＧＩ１２２３）に委託する場合には“０”，当該支援サーバ装置１内のウェッブページ領域１３１又は他のウェッブサーバ装置３内のウェッブサイト３１に格納されている販売者のホームページ１３１１，３１０内に配置することによって，その配信を販売者が自己管理する場合には“１”が，設定される。なお，後者（販売形態＝“１”）の場合には，別途設定される不正アクセス防止手段により，個人間販売システム１２２（販売ＣＧＩ１２２４）を経由しない直接アクセスが，禁止されることになる。
【００２４】図５は，購入情報テーブル１３５のデータ構造を概略的に示す表である。この図５に示されるように，購入情報テーブル１３５は，個人間販売システム１２２（販売ＣＧＩ１２２３）を用いた各取引（販売者から購入者への商品の販売）毎に，その購入者の識別情報である購入者ＩＤ（会員ＩＤと一致），その購入者が会費決済用に指定したクレジットカードについてのクレジットカード会社番号，カード番号及び有効期限，その取引の日時を示す購入日時，商品の商品番号，販売者の販売者ＩＤ，課金形態，商品名，販売価格，等の情報からなるレコードが，登録されている。ハードディスク１３における当該購入情報テーブル１３５を格納している部分が，第２記憶装置に相当する。
【００２５】ライブラリ１３６は，上記販売形態＝０の場合に商品のファイルがアップロードされる書庫であり，その内部は階層化されており，パスによって各商品ファイルの格納位置が特定されるようになっている。このライブラリ１３６内に格納された商品ファイルは，販売ＣＧＩ１２２３によってのみ読み出し可能である（即ち，ＷＷＷサーバ１２２０がアクセスすることが不可能となっている）。
【００２６】預り金リスト１３７は，販売者情報テーブル１３４に登録されている各販売者の販売者ＩＤ毎に，その販売者に対する預り金額（購入者には課金したが販売者の口座には未だ振り込んでいない販売代金）の額を，記録している。
（処理内容）次に，個人間販売システム１２２を構成する各ＣＧＩプログラム１２２１〜１２２４，認証システム１２０及び課金システム１２１が実行する処理の内容を，上記各図の他，図８乃至図１４のフローチャート，及び，図１６乃至図２９の画面例を参照して，時系列順に説明する。なお，以下の説明においては，便宜上，ユーザ端末２ａが販売者となる会員によって操作され，ユーザ端末２ｂが購入者となる会員によって操作されるものとする。」
　
（エ）「【００４２】Ｓ２０６では，商品登録ＣＧＩ１２２２は，図２０に示す商品ファイルアップロード画面を表示させるためのＨＴＭＬデータを，ブラウザ２５へ送信する。このＨＴＭＬデータには，図２０に示されるファイルパス欄６６及び「ＯＫ」ボタン６７を画面中に表示させるとともに，「ＯＫ」ボタン６７がクリックされた時にユーザ端末２ａのハードディスク２５内におけるファイルパス欄６６に入力されたパス名が示す記憶位置に格納されているファイルを商品登録ＣＧＩ１２２２へ送信させるための設定（フォームタグ）が，組み込まれている。その為，商品登録ＣＧＩ１２２２は，次のＳ２０３において，ブラウザ２５がこれら各項目の情報を送信してくるのを待つ。
【００４３】ブラウザ２５からのファイル（商品ファイル）を受信すると，商品登録ＣＧＩ１２２２は，次のＳ２０８において，その商品ファイルをライブラリ１３６内の何れかの記憶位置に格納して，その格納位置を示すファイルパスを取得する。Ｓ２０８の完了後，商品登録ＣＧＩ１２２２は，処理をＳ２１１へ進める。」
　
（オ）「【００４８】このような販売者のホームページを又は電子メール見た会員は，自己のユーザ端末２ｂの入力装置２３を操作して，購入を希望する何れかの商品の商品名又は販売価格をクリックするか，その商品アドレスをブラウザに直接入力する。すると，ユーザ端末２ｂ上で実行されているブラウザ２５は，この商品ＵＲＬを指定したＨＴＴＰリクエストメッセージ（購入要求に相当）を，ＷＷＷサーバ１２２０へ送信する。このＨＴＴＰリクエストメッセージを受信したＷＷＷサーバ１２２０は，販売ＣＧＩ１２２３を起動して，商品ＵＲＬ中の商品番号を，販売ＣＧＩ１２２３に引き渡す。
【００４９】このようにして起動された販売ＣＧＩ１２２３は，図１２のフローチャートに示すように，最初のＳ４０１において，ＷＷＷサーバ１２２０から渡されたパラメータとしての商品番号を含むレコードを，商品情報テーブル１３５から読み込む。
【００５０】次のＳ４０２では，販売ＣＧＩ１２２３は，Ｓ４０１にて読み込んだ商品情報テーブル１３５のレコード，及びこのレコード中の販売者ＩＤと一致する会員ＩＤを含む会員管理テーブル１３２のレコードに基づいて，図２５（販売形態＝“０”の場合）又は図２７（販売形態＝“１”の場合）に示す商品販売画面を表示させるためのＨＴＭＬデータを動的に生成し，このＨＴＭＬデータをブラウザ２５へ送信する。この商品販売画面には，Ｓ４０１にて読み込んだ商品情報テーブル１３５のレコードに含まれる商品名，販売価格，商品ジャンル，課金形態，商品説明文，商品ファイル名（図２５の場合のみ）及び販売者ＩＤ，この販売者ＩＤと同じ会員ＩＤを含む上記会員管理テーブル１３２のレコードに含まれる氏名（販売者名）及び電子メールアドレス，並びに，「購入する」ボタン７０が，含まれている。そして，「購入する」ボタン７０には，それがクリックされた時にその旨を販売ＣＧＩ１２２３へ通知するための設定が組み込まれている。その為，販売ＣＧＩ１２２３は，次のＳ４０３において，ブラウザ２５から「購入する」旨の通知が送信されてくるのを待つ。
【００５１】ブラウザ２５からの「購入する」旨の通知を受信すると，認証システム１２０は，次のＳ４０４において，認証システム１２０に，上述した第１認証処理の実行を依頼する。そして，認証システム１２０によって，アクセス元ユーザ端末２ｂの操作者が会員であることが認証されると，販売ＣＧＩ１２２３は，処理をＳ４０５へ進める。
【００５２】Ｓ４０５では，販売ＣＧＩ１２２３は，Ｓ４０１にて商品情報テーブル１３５から読み込んだレコードに含まれる販売形態が“０”（即ち，ライブラリ１３６使用）であるか“１”（即ち，ライブラリ不使用）であるかをチェックする。そして，販売形態が“０”であると処理をＳ４０６へ進め，“１”であると処理をＳ４０９へ進める。
【００５３】Ｓ４０６では，販売ＣＧＩ１２２３は，図２６に示すようなダウンロード画面を表示させるためのＨＴＭＬデータを動的に生成して，ブラウザ２５へ送信する。このＨＴＭＬデータには，Ｓ４０１にて商品情報テーブル１３５から読み込んだレコードに含まれる商品名及び商品ファイル名を表示させるとともに，この商品ファイル名がクリックされた時に同レコードに含まれるファイルパスを指定したダウンロード要求を販売ＣＧＩ１２２３へ送信させる設定が，組み込まれている。その為，販売ＣＧＩ１２２３は，次のＳ４０７において，ファイルパスを指定した商品ファイルのダウンロード要求がブラウザ２５から送信されて来るのを待つ。
【００５４】ブラウザ２５からのダウンロード要求を受信すると，認証システム１２０は，次のＳ４０６において，ダウンロード要求において指定されたファイルパスが示すライブラリ１３６内の記憶位置から，要求された商品ファイルを読み出して，ブラウザ２５へ送信する。Ｓ４０６を完了すると，販売ＣＧＩ１２２３は，処理をＳ４１０へ進める。」
　
（カ）「【００５７】個人間販売システム１２２の上記各ＣＧＩ１２２１，１２２２，１２２３が適宜起動されることによって購入情報テーブルにレコードが蓄積されてゆくのと並行して，毎月の所定決済日になると，課金システム１２１が，図１３に示す決済処理を実行する。この決済処理は，課金システム１２１が各会員に会費を課金するための既存の処理に，個人間販売システム１２２による商品販売価格の精算機能を追加したものである。
【００５８】決済処理がスタートして最初のＳ５０１では，課金システム１２１は，購入情報テーブル１３５から，過去一箇月内にその購入日時が含まれ，且つ，課金形態＝“０”であるレコードを，全て抽出する。
【００５９】次のＳ５０２では，課金システム１２１は，購入情報テーブル１３５から，課金形態＝“１”であるレコードを，全て抽出する。
【００６０】次のＳ５０３では，課金システム１２１は，購入情報テーブル１３５から，過去一箇月前にその購入日時が含まれ，且つ，課金形態＝“２”であるレコードを，全て抽出する。
【００６１】次のＳ５０４では，課金システム１２１は，購入情報テーブル１３５から，処理日の属する月とその購入日時中の月とが一致し，且つ，課金形態＝“３”であるレコードを，全て抽出する。
【００６２】次のＳ５０５では，課金システム１２１は，購入情報テーブル１３５から，処理日の属する月の前月とその購入日時中の月とが一致し，且つ，課金形態＝“４”であるレコードを，全て抽出する。
【００６３】次のＳ５０６では，課金システム１２１は，Ｓ５０１乃至Ｓ５０５にて抽出した全レコードを購入者ＩＤ毎に分類し，各購入者（購入者ＩＤ）についての販売価格の総和を，夫々算出する。
【００６４】次のＳ５０７では，課金システム１２１は，各会員毎に，その会員について会員管理テーブル１３２に登録されているクレジットカードカード会社に対して，登録されているクレジットカード番号を指定して，その会費を請求する処理（請求のための電文発行等）を実行する。この際，課金システム１２１は，Ｓ５０６にて算出された各購入者毎の販売価格総和を，その購入者（会員）の会費に上乗せして，クレジットカード会社に請求する。
【００６５】次のＳ５０８では，課金システム１２１は，Ｓ５０１乃至Ｓ５０５にて抽出した全レコードを販売者ＩＤ毎に分類し，各販売者（販売者ＩＤ）についての販売価格の総和を，夫々算出する。
【００６６】次のＳ５０９では，課金システム１２１は，Ｓ５０８にて算出した各販売者ＩＤ毎の販売価格総和を，預り金リスト１３７における対応する販売者ＩＤについての預り金額欄に加算する。
【００６７】次のＳ５１０では，課金システム１２１は，預り金リスト１３７中の各販売者ＩＤ毎の預り金額を調べ，一定額（例えば￥１００００−）以上の預り金額については，それに対応する販売者ＩＤについて販売者情報テーブル１３３内で対応付けて登録されている銀行口座へ，その預り金額に一定割合（例えば，０．９）を乗じた額を振り込むための処理（振り込みのための電文発行等）を実行した後に，￥０−に初期化する。なお，預り緊縛各販売者ＩＤ毎の販売価格総和に一定割合を乗ずるのは，購入者から徴収した販売価格の一部を，サービス提供者の手数料として差し引くためである。Ｓ５１０の完了後，課金システム１２１は，この決済処理を終了する。」
　
（キ）「【００７３】以上説明したように，本実施形態によるネットワークシステムでは，自己のコンテンツを他者に販売しようとする者は，支援サーバ装置１を運営するサービス提供者との間でインターネット接続サービス又は有料コンテンツ提供サービスを受けるための契約を結ぶことによって会員になっておけば，若干の手続きを踏むだけで，販売対象コンテンツをどこに配置するかに拘わらず，個人間販売システム１２２によって，そのコンテンツの販売代金を購入者から徴収してもらうことができる。即ち，コンテンツを販売しようとする者が，販売価格を指定して，販売対象コンテンツをライブラリ１３６にアップロードするか，販売対象コンテンツの格納位置を示すリンク先ＵＲＬを個人間販売システム１２２（商品登録ＣＧＩ１２２２）に通知すれば，そのコンテンツに一意の商品番号が生成されて，ライブラリ１３６内における当該コンテンツへのパス又はリンク先ＵＲＬと商品番号とを対応付けたレコードが商品情報テーブル１３４に登録されるとともに，その商品番号をパラメータとした販売ＣＧＩ１２２３のＵＲＬである商品ＵＲＬが発行される。コンテンツを販売しようとする者は，この商品ＵＲＬを，自己のホームページを含むあらゆるウェッブページにリンクとして書き込むことによって，自由に且つ広範に，販売対象コンテンツを宣伝することができる。そして，何れかのウェッブページに書き込まれた商品ＵＲＬのリンクを見た当該コンテンツの購入希望者がその商品ＵＲＬのリンクをクリックするかブラウザ２５に直接入力すると，ＷＷＷサーバ１２２０によって直ちに販売ＣＧＩ１２２３が起動され，パラメータとして商品番号が引き渡される。従って，起動された販売ＣＧＩ１２２３は，商品情報テーブル１３４内においてその商品番号に対応したパス又はリンク先ＵＲＬ及び販売価格を読み出して，購入者によるそのコンテンツのダウンロード又はアクセスを可能にすべくそのパス又はリンク先ＵＲＬを購入者に通知することができるとともに，その販売額を購入者に課金するための処理を行うことができる。
【００７４】以上のように，本実施形態によると，販売者にとって販売対象コンテンツの配置の自由度が増すという利点があるとともに，購入者にとって商品ＵＲＬを指定したＨＴＴＰメッセージを送信するだけで，直ちに（認証後に購入対象コンテンツを探す事無く），そのコンテンツを購入するための手続きをすることができる。
【００７５】また，本実施形態によると，販売者が販売対象コンテンツをライブラリ１３６にアップロードするか，そのコンテンツの格納位置を示すリンク先ＵＲＬを個人間販売システム１２２（商品登録ＣＧＩ１２２２）に通知する際に，予め用意された複数の選択肢の中から何れかの課金形態を選択することができるので，販売対象コンテンツの性質や販売者自身の希望に依って，様々な形態の課金をしてもらうことができる。例えば，随時更新される掲示板や会員制ウェッブページのようなコンテンツや，コンピュータプログラムのようなコンテンツの場合には，月額課金や年額課金のような定期的な課金を選択することができる。」
　
　上記摘記事項（ア）の【０００１】段落の「本発明は，インターネット等のネットワークを介して個人間でコンテンツを売買する際に購入者に販売代金を課金するための個人間決済支援方法に，関する。」との記載，上記摘記事項（イ）の【００１１】段落の「図１に示された各ユーザ端末２ａ，２ｂは，このサービス提供者と予め契約を結んでいる会員が操作するユーザ端末であるので，支援サーバ装置１に対して，インターネットＮを介して（ゲートウェイ接続にて）接続できるとともに，アクセスポイント４を介して（アクセスポイント接続にて）接続できる。」との記載，及び図１の記載からみて，引用例１のユーザ端末２ａ，ユーザ端末２ｂ，及び支援サーバ装置１が「インターネットＮを介して互いに接続された」ものであることは明らかである。
　
　上記摘記事項（ウ）の【００２６】段落の「なお，以下の説明においては，便宜上，ユーザ端末２ａが販売者となる会員によって操作され，ユーザ端末２ｂが購入者となる会員によって操作されるものとする。」との記載からみて，ユーザ端末２ａが「販売者によって操作され」るものであり，また，ユーザ端末２ｂが「購入者によって操作され」るものであることは明らかである。
　
　上記摘記事項（エ）の【００４２】段落の「このＨＴＭＬデータには，図２０に示されるファイルパス欄６６及び「ＯＫ」ボタン６７を画面中に表示させるとともに，「ＯＫ」ボタン６７がクリックされた時にユーザ端末２ａのハードディスク２５内におけるファイルパス欄６６に入力されたパス名が示す記憶位置に格納されているファイルを商品登録ＣＧＩ１２２２へ送信させるための設定（フォームタグ）が，組み込まれている。」との記載からみて，ユーザ端末２ａが，「ハードディスク２５に格納されているファイルを送信」していることは明らかである。
　
　上記摘記事項（オ）の【００４８】段落の「このような販売者のホームページを又は電子メール見た会員は，自己のユーザ端末２ｂの入力装置２３を操作して，購入を希望する何れかの商品の商品名又は販売価格をクリックするか，その商品アドレスをブラウザに直接入力する。すると，ユーザ端末２ｂ上で実行されているブラウザ２５は，この商品ＵＲＬを指定したＨＴＴＰリクエストメッセージ（購入要求に相当）を，ＷＷＷサーバ１２２０へ送信する。このＨＴＴＰリクエストメッセージを受信したＷＷＷサーバ１２２０は，販売ＣＧＩ１２２３を起動して，商品ＵＲＬ中の商品番号を，販売ＣＧＩ１２２３に引き渡す。」との記載及び【００５３】〜【００５４】段落の「その為，販売ＣＧＩ１２２３は，次のＳ４０７において，ファイルパスを指定した商品ファイルのダウンロード要求がブラウザ２５から送信されて来るのを待つ。（途中省略）ブラウザ２５からのダウンロード要求を受信すると，認証システム１２０（当審注：「認証システム１２０」は，「販売ＣＧＩ１２２３」の誤記と認められる。）は，次のＳ４０６（当審注：「Ｓ４０６」は，「Ｓ４０８」の誤記と認められる。）において，ダウンロード要求において指定されたファイルパスが示すライブラリ１３６内の記憶位置から，要求された商品ファイルを読み出して，ブラウザ２５へ送信する。」との記載からみて，ユーザ端末２ｂが，「商品ファイルを受信する」ものであることは明らかである。
　
　上記摘記事項（イ）の【００１０】段落の「この支援サーバ装置１は，インターネット接続サービス（ＩＳＰ）及び有料コンテンツ提供サービスを実施する業者（以下，「サービス提供者」と称する）によって運営されており，このサービス提供者と予め契約を結んでいる会員（以下，単に「会員」と称する）が操作するユーザ端末２に対してこれら各サービスを実施するとともに，アクセス資格を問わずにウェッブコンテンツ（ＨＴＭＬデータ，その他のデジタルコンテンツ）をインターネット上に公開する装置である。」との記載からみて，支援サーバ装置１が，「サービス提供者によって運営され」ていることは明らかである。
　
　上記摘記事項（エ）の【００４３】段落の「ブラウザ２５からのファイル（商品ファイル）を受信すると，商品登録ＣＧＩ１２２２は，次のＳ２０８において，その商品ファイルをライブラリ１３６内の何れかの記憶位置に格納して，その格納位置を示すファイルパスを取得する。」との記載，及び上記摘記事項（オ）の【００５４】段落の「ブラウザ２５からのダウンロード要求を受信すると，認証システム１２０（当審注：「認証システム１２０」は，「販売ＣＧＩ１２２３」の誤記と認められる。）は，次のＳ４０６（当審注：「Ｓ４０６」は，「Ｓ４０８」の誤記と認められる。）において，ダウンロード要求において指定されたファイルパスが示すライブラリ１３６内の記憶位置から，要求された商品ファイルを読み出して，ブラウザ２５へ送信する。」との記載からみて，支援サーバ装置１が「商品ファイルを送受信する」ものであることは明らかである。
　
　上記摘記事項（イ）の【００１０】段落の「図１は，上記個人間決済方法が実施されているネットワークシステムの概略構成を示すブロック図である。この図１に示されるように，このネットワークシステムは，本発明による個人間決済方法を実施するために構成された１台の支援サーバ装置１と，ウェッブページを公開している複数の一般的なウェッブサーバ装置３（図１においては１台のみ図示）と，複数のユーザ端末２（図１においては２台［２ａ，２ｂ］のみ図示）とから，構成されている。」との記載からみて，引用例１には，「個人間決済方法が実施されているネットワークシステム」が記載されていることは明らかである。
　
　上記摘記事項（ウ）の【００１８】段落の「また，ハードディスク１３が格納している各種データには，（途中省略）商品登録１２２２によってアップロードされて販売ＣＧＩ１２２３のみによってダウンロードされる販売対象コンテンツ（以下，「商品」という）を格納するライブラリ１３６（途中省略）が，含まれている。」との記載からみて，「支援サーバ装置１が」，「支援サーバ装置１のハードディスク１３に格納され」た「ライブラリ１３６」を備えていることは明らかである。
　また，上記摘記事項（エ）の【００４２】〜【００４３】段落の「ユーザ端末２ａのハードディスク２５内におけるファイルパス欄６６に入力されたパス名が示す記憶位置に格納されているファイルを商品登録ＣＧＩ１２２２へ送信させるための設定（フォームタグ）が，組み込まれている。（途中省略）ブラウザ２５からのファイル（商品ファイル）を受信すると，商品登録ＣＧＩ１２２２は，次のＳ２０８において，その商品ファイルをライブラリ１３６内の何れかの記憶位置に格納して，その格納位置を示すファイルパスを取得する。」との記載からみて，「ライブラリ１３６」が「ユーザ端末２ａから送信された商品ファイルを受信して格納する」ものであることは明らかである。
　
　上記摘記事項（ウ）の【００１５】〜【００１７】段落の「ＣＰＵ１０は，この支援サーバ装置１全体の制御を行う中央処理装置である。（途中省略）ハードディスク１３は，ＣＰＵ２０（当審注：「ＣＰＵ２０」は，「ＣＰＵ１０」の誤記と認められる。）によって読み出されて実行される各種プログラム１３０及び各種データを格納している記憶装置である。このハードディスク１３が格納している各種プログラム１３０には，（途中省略）本発明による個人間決済支援方法を実施するための第１のプログラムとしての個人間販売システム１２２が，含まれている。この個人間販売システム１２２は，（途中省略）販売ＣＧＩ１２２３（途中省略）から，構成されている。（途中省略）なお，これら各種プログラムは，実際には，ハードディスク１３からＲＡＭ１２上に順次ページングされて実行される（途中省略）。」との記載からみて，「販売ＣＧＩ１２２３」が「支援サーバ装置１の中央処理装置によって実行され」る「プログラムである」ことは明らかである。
　また，上記摘記事項（オ）の【００４８】〜【００５４】段落の「このような販売者のホームページを（途中省略）見た会員は，自己のユーザ端末２ｂの入力装置２３を操作して，購入を希望する何れかの商品の商品名又は販売価格をクリックする（途中省略）。すると，ユーザ端末２ｂ上で実行されているブラウザ２５は，この商品ＵＲＬを指定したＨＴＴＰリクエストメッセージ（購入要求に相当）を，ＷＷＷサーバ１２２０へ送信する。このＨＴＴＰリクエストメッセージを受信したＷＷＷサーバ１２２０は，販売ＣＧＩ１２２３を起動して，商品ＵＲＬ中の商品番号を，販売ＣＧＩ１２２３に引き渡す。（途中省略）ブラウザ２５からの「購入する」旨の通知を受信すると，（途中省略）販売ＣＧＩ１２２３は，図２６に示すようなダウンロード画面を表示させるためのＨＴＭＬデータを動的に生成して，ブラウザ２５へ送信する。（途中省略）ブラウザ２５からのダウンロード要求を受信すると，認証システム１２０（当審注：「認証システム１２０」は，「販売ＣＧＩ１２２３」の誤記と認められる。）は，次のＳ４０６（当審注：「Ｓ４０６」は，「Ｓ４０８」の誤記と認められる。）において，ダウンロード要求において指定されたファイルパスが示すライブラリ１３６内の記憶位置から，要求された商品ファイルを読み出して，ブラウザ２５へ送信する。」との記載からみて，販売ＣＧＩ１２２３が，「ライブラリ１３６に格納されている商品ファイルをユーザ端末２ｂに送信」していることは明らかである。
　
　上記摘記事項（ウ）の【００１５】〜【００１７】段落の「ＣＰＵ１０は，この支援サーバ装置１全体の制御を行う中央処理装置である。（途中省略）ハードディスク１３は，ＣＰＵ２０によって読み出されて実行される各種プログラム１３０及び各種データを格納している記憶装置である。このハードディスク１３が格納している各種プログラム１３０には，（途中省略）各会員に対して各サービスに対する会費を課金するために元々プログラミングされた第２のプログラムとしての課金システム１２１（途中省略）が，含まれている。」との記載からみて，「課金システム１２１」は，「各会員に対して各サービスに対する会費を課金する処理」を行うものであり，当該処理が「中央処理装置によって実行され」るものであることは明らかである。
　また，上記摘記事項（カ）の【００６４】〜【００６７】段落の「課金システム１２１は，各会員毎に，その会員について会員管理テーブル１３２に登録されているクレジットカードカード会社に対して，登録されているクレジットカード番号を指定して，その会費を請求する処理（請求のための電文発行等）を実行する。この際，課金システム１２１は，Ｓ５０６にて算出された各購入者毎の販売価格総和を，その購入者（会員）の会費に上乗せして，クレジットカード会社に請求する。（途中省略）次のＳ５０９では，課金システム１２１は，Ｓ５０８にて算出した各販売者ＩＤ毎の販売価格総和を，預り金リスト１３７における対応する販売者ＩＤについての預り金額欄に加算する。（途中省略）次のＳ５１０では，課金システム１２１は，預り金リスト１３７中の各販売者ＩＤ毎の預り金額を調べ，（途中省略）それに対応する販売者ＩＤについて販売者情報テーブル１３３内で対応付けて登録されている銀行口座へ，その預り金額に一定割合（例えば，０．９）を乗じた額を振り込むための処理（振り込みのための電文発行等）を実行（途中省略）する。」との記載からみて，課金システム１２１は，「各購入者毎の販売価格総和を，その購入者（会員）の会費に上乗せして，クレジットカード会社に請求する処理と，各販売者ＩＤ毎の販売価格総和を，預り金リスト１３７における対応する販売者ＩＤについての預り金額欄に加算する処理と，各販売者ＩＤ毎の預り金額を調べ，販売者ＩＤに対応付けて登録されている銀行口座へ，その預り金額に一定割合（例えば，０．９）を乗じた額を振り込むための処理とを実行する」ものであることは明らかである。
　
　上記摘記事項（ウ）の記載からみて，支援サーバ装置１が，ライブラリ１３６，販売ＣＧＩ１２２３，及び課金システム１２１を「備えて」いることは明らかである。
　
　上記摘記事項（ウ）の【００２２】段落の「課金形態を示す情報としては，（途中省略）商品を使用する限り使用料又はライセンス料として毎月課金する月額課金の場合には“１”，（途中省略）が，設定される。」との記載，上記摘記事項（カ）の【００５７】〜【００５９】段落の「個人間販売システム１２２の上記各ＣＧＩ１２２１，１２２２，１２２３が適宜起動されることによって購入情報テーブルにレコードが蓄積されてゆくのと並行して，毎月の所定決済日になると，課金システム１２１が，図１３に示す決済処理を実行する。この決済処理は，課金システム１２１が各会員に会費を課金するための既存の処理に，個人間販売システム１２２による商品販売価格の精算機能を追加したものである。（途中省略）次のＳ５０２では，課金システム１２１は，購入情報テーブル１３５から，課金形態＝“１”であるレコードを，全て抽出する。」との記載，及び上記摘記事項（キ）の「販売者が（途中省略）予め用意された複数の選択肢の中から何れかの課金形態を選択することができる（途中省略）。例えば，随時更新される掲示板や会員制ウェッブページのようなコンテンツや，コンピュータプログラムのようなコンテンツの場合には，月額課金や年額課金のような定期的な課金を選択することができる。」との記載からみて，引用例１の「課金システム１２１において，販売者は，随時更新される掲示板や会員制ウェッブページのようなコンテンツの場合には，月額課金のような定期的な課金を選択することができる」ことは明らかである。
　
　以上の点を踏まえ，上記摘記事項（ア）乃至（キ）の記載及び図面の記載を総合すると，引用例１には，次のとおりの発明（以下，「引用例１発明」という。）が記載されていると認められる。
　
「インターネットＮを介して互いに接続された，販売者によって操作されハードディスク２５に格納されているファイルを送信するユーザ端末２ａと，
購入者によって操作され商品ファイルを受信するユーザ端末２ｂと，
サービス提供者によって運営され商品ファイルを送受信する支援サーバ装置１とを含む個人間決済方法が実施されているネットワークシステムであって，
　上記支援サーバ装置１が，
　該支援サーバ装置１のハードディスク１３に格納され，上記ユーザ端末２ａから送信された商品ファイルを受信して格納するライブラリ１３６と，
　該支援サーバ装置１の中央処理装置によって実行され，上記ライブラリ１３６に格納されている商品ファイルを上記ユーザ端末２ｂに送信するプログラムである販売ＣＧＩ１２２３と，
　上記中央処理装置によって実行され，各会員に対して各サービスに対する会費を課金する処理と，各購入者毎の販売価格総和を，その購入者（会員）の会費に上乗せして，クレジットカード会社に請求する処理と，各販売者ＩＤ毎の販売価格総和を，預り金リスト１３７における対応する販売者ＩＤについての預り金額欄に加算する処理と，各販売者ＩＤ毎の預り金額を調べ，販売者ＩＤに対応付けて登録されている銀行口座へ，その預り金額に一定割合（例えば，０．９）を乗じた額を振り込むための処理とを実行する課金システム１２１とを備えていて，
　上記課金システム１２１において，販売者は，随時更新される掲示板や会員制ウェッブページのようなコンテンツの場合には，月額金額のような定期的な課金を選択することができる
ことを特徴とする個人間決済方法が実施されているネットワークシステム。」
　
４．対比
　
　本件補正発明と引用例１発明とを対比する。
　
　引用例１発明の「インターネットＮ」が本件補正発明の「通信ネットワーク」に相当する。
　引用例１発明の「販売者」は，販売対象コンテンツである商品ファイルを提供する者であるから，本件補正発明の「コンテンツ提供者」に相当する。
　引用例１発明の「ユーザ端末２ａ」が本件補正発明の「サプライヤコンピュータ」に相当する。そして，ユーザ端末２ａは，販売者によって操作されるものであるから，販売者に「係属し」ているということができる。
　引用例１発明の「ハードディスク２５に格納されているファイル」は，販売者が販売する販売対象コンテンツであり，販売に際して公開されるものであるから，本件補正発明の「公開すべきコンテンツ」に相当する。
　引用例１発明の「購入者」はコンテンツを購入して利用する者であるから，本件補正発明の「コンテンツ利用者」に相当する。
　引用例１発明の「ユーザ端末２ｂ」が本件補正発明の「ユーザーコンピュータ」に相当する。そして，ユーザ端末２ｂは，購入者によって操作されるものであるから，購入者に「係属し」ているということができる。
　引用例１発明の「商品ファイル」は，販売対象コンテンツであるから，本件補正発明の「コンテンツ」に相当する。
　引用例１発明の「サービス提供者」が本件補正発明の「サーバー業者」に相当する。
　引用例１発明の「支援サーバ装置１」が本件補正発明の「サーバーコンピュータ」に相当する。そして，支援サーバ装置１は，サービス提供者によって運営されているものであるから，サービス提供者に「係属し」ているということができる。
　引用例１発明の「個人間決済方法が実施されているネットワークシステム」は，コンテンツの販売に際してコンテンツを公開し，その課金を行うシステムであるから，本件補正発明の「コンテンツ公開・課金システム」に相当する。
　
　引用例１発明の「ハードディスク１３」「ライブラリ１３６」が本件補正発明の「記憶装置」「コンテンツ格納手段」に相当する。そして，引用例１発明のライブラリ１３６は，ハードディスク１３に格納されているものであるから，ハードディスク１３の「一部をなし」ているものであるということができる。
　
　引用例１発明の「販売ＣＧＩ１２２３」が本件補正発明の「コンテンツ送信手段」に相当する。そして，販売ＣＧＩ１２２３は，支援サーバ装置１の中央処理装置によって実行されるプログラムであるから，中央処理装置「の一部をなし」ているものであるということができる。
　
　そうすると，本件補正発明と引用例１発明とは，
　
「通信ネットワークを介して互いに接続された，コンテンツ提供者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，
　該サーバーコンピュータの記憶装置の一部をなし，上記サプライヤコンピュータから送信されたコンテンツを受信して格納するコンテンツ格納手段と，
　該サーバーコンピュータの中央処理装置の一部をなし，上記コンテンツ格納手段に格納されているコンテンツを上記ユーザーコンピュータに送信するコンテンツ送信手段と，
を備えていることを特徴とするコンテンツ公開・課金システム。」
　
の点で一致し，次の点で相違する。
　
［相違点１］
　本件補正発明では，サーバーコンピュータが，「任意のサプライヤに対して個別の専用の記憶領域又はデータベースを割り当てる機能を備えてい」るのに対して，引用例１発明にはこれに対応する構成が記載されていない点。
　
［相違点２］
　本件補正発明では，サーバーコンピュータが，「上記中央処理装置の一部をなし，該サーバーコンピュータの利用に関してサーバー業者がコンテンツ提供者に対して課金すべき金額を上記サプライヤコンピュータに送信するとともに，サーバー業者がコンテンツ提供者に代行して，コンテンツ提供者がコンテンツ利用者に対して課金すべき金額を上記ユーザーコンピュータ及び上記サプライヤコンピュータに送信する課金金額送信手段とを備えてい」るのに対して，引用例１発明には，これに対応する構成が記載されていない点。
　
［相違点３］
　本件補正発明では，課金金額送信手段が，「コンテンツ利用者に対する上記課金を，サーバー業者によってコンテンツ提供者に割り当てられた，上記サーバーコンピュータの記憶装置内の記憶領域又はデータベースの利用権を対象として行う」のに対して，引用例１発明の課金システム１２１は，そのような課金を行っていない点。
　
５．当審の判断
　上記相違点について検討する。
　
［相違点１］について
　コンテンツ提供者から提供されたコンテンツを提供者毎のデータベースに格納しておき，当該データベースからデータを取り出してコンテンツ利用者に提供することは，例えば特開平１０−３０１９９６号公報（特に【００２１】【００３２】【００３７】【００４０】段落の記載参照），特開２００１−２８２６８４号公報（特に【００２３】〜【００３３】段落の記載参照）等に記載されているように周知技術であるものと認められることから，引用例１発明において，コンテンツの販売者に対して個別のデータベースを割り当て，コンテンツの販売者から受信したコンテンツを販売者毎の個別のデータベースに格納するように構成することに格別の困難性があるものとは認められない。
　
　したがって，相違点１に係る本件補正発明の構成は，引用例１発明及び周知技術に基づいて当業者が容易に想到し得たものである。
　
［相違点２］について
　上記摘記事項（イ）の【００１０】段落に記載されているように，引用例１において，販売者及び購入者はいずれも「サービス提供者と予め契約を結んでいる会員」であり，上記摘記事項（カ）の【００５７】段落には，課金システム１２１が「各会員に会費を課金するための既存の処理」を実行すると記載されていることから，会員が販売者である場合には，その会費の額が，本件補正発明の「サーバーコンピュータの利用に関してサーバー業者がコンテンツ提供者に対して課金すべき金額」に相当する。
　そして，会費を課金する際に，その金額を課金対象者に通知することは通常行われていることであるから，引用例１発明の支援サーバ装置１にそのための手段を設けることにより，「サーバーコンピュータの中央処理装置の一部をなし，該サーバーコンピュータの利用に関してサーバー業者がコンテンツ提供者に対して課金すべき金額を上記サプライヤコンピュータに送信する課金金額送信手段」を備えるように構成することは当業者が容易に想到し得たことと認められる。
　また，引用例１の上記摘記事項（カ）の【００６４】〜【００６７】段落には，課金システム１２１が，購入者の販売価格総和（本願発明における「コンテンツ提供者がコンテンツ利用者に対して課金すべき金額」に相当する）を当該購入者の会費に上乗せしてクレジットカード会社に請求して預り金として管理しておき，そこから所定の手数料を差し引いて販売者の口座に振り込むことが記載されていることから，「サーバー業者がコンテンツ提供者に代行して，コンテンツ提供者がコンテンツ利用者に対して課金すべき金額」を徴収することが記載されているものと認められる。
　そして，購入者に対して販売価格総和を当該購入者の会費に上乗せしてクレジットカード会社に請求する際にその金額の内訳を購入者に通知することや，預り金から所定の手数料を差し引いて販売者の口座に振り込む際にその金額の内訳を販売者に通知することは通常行われていることであるから，引用例１発明の支援サーバ装置１にそのための手段を設けることにより，「サーバーコンピュータの中央処理装置の一部をなし，サーバー業者がコンテンツ提供者に代行して，コンテンツ提供者がコンテンツ利用者に対して課金すべき金額を上記ユーザーコンピュータ及び上記サプライヤコンピュータに送信する課金金額送信手段」を備えるように構成することは当業者が容易に想到し得たことと認められる。
　
　したがって，相違点２に係る本件補正発明の構成は，引用例１発明及び引用例１記載事項に基づいて当業者が容易に想到し得たものである。
　
［相違点３］について
　例えば，特開平３−２４４０８０号公報（特に第３頁左上欄第９〜１６行の記載参照）には，「また，各新聞社では自社で提供する新聞の記事内容をデータベース化して提供している。しかし，このデータベースサービスは各新聞社はそれぞれが自社の記事についてのみを提供しているため，複数社の記事について検討しようとすると，それぞれの社ごとにデータベースの提供に関して契約を結ぶ必要があり，複数の記事を検討するには高額の費用および人手がかかる問題があった。」と記載されており，コンテンツ提供者が提供するデータベースの利用に関して，コンテンツ利用者がコンテンツ提供者とデータベースの提供に関して契約を結ぶことにより，コンテンツ利用者が契約したデータベース内のコンテンツを自由に利用可能とすること，すなわちデータベースの利用権を購入するような契約を行うことは周知事項であるものと認められる。
　してみれば，引用例１発明に上記周知技術を適用して，コンテンツを販売者（コンテンツ提供者）の固有のデータベースに格納した際に，上記周知事項を適用して，コンテンツ利用者が当該データベースの利用権を購入するような契約を行い，コンテンツ利用者に対する課金を，「サーバー業者によってコンテンツ提供者に割り当てられた，上記サーバーコンピュータの記憶装置内のデータベースの利用権を対象として行う」ように構成することは当業者であれば容易に想到し得たことと認められる。
　
　したがって，相違点３に係る本件補正発明の構成は，引用例１発明，周知事項及び周知技術に基づいて当業者が容易に想到し得たものである。
　
　そして，本件補正発明の作用効果も，引用例１，周知事項及び周知技術から当業者が予測できる範囲のものである。
　
　なお，審判請求人は平成２１年９月２８日付けの回答書において以下のとおり主張している。
　
「３．　前置報告書に対する意見 
 （１）　本願発明について 
 　　平成１９年１１月２９日に提出した手続補正書（以下「本件審判理由補充書」という。）に記載のとおり，本願の独立形式の請求項１，２，５，６に係る発明（以下「本願発明」という。）は，いずれも，下記の発明特定事項（Ａ）〜（Ｃ）を備えている点に構成上の特徴があり，この構成により下記の顕著な効果（α）を奏します。 
 　　発明特定事項（Ａ）：　サプライヤコンピュータとユーザーコンピュータとサーバーコンピュータとが，通信ネットワークを介して，互いに接続されているコンピュータシステムである。 
 　　発明特定事項（Ｂ）：　サーバーコンピュータは，コンテンツ格納手段を含む記憶装置と，コンテンツ送信手段及び課金金額送信手段を含む中央処理装置とを備えている。
 　　発明特定事項（Ｃ）：　サーバーコンピュータが任意のサプライヤに対して個別の専用の記憶領域又はデータベースを割り当てる機能を有し，コンテンツ利用者に対して課金を行うサーバー用又はサプライヤ用の課金金額送信手段が，コンテンツ利用者に対する課金を，サーバー業者によってコンテンツ提供者に割り当てられた，サーバーコンピュータの記憶装置内の記憶領域又はデータベースの利用権を対象として行う。 
 　　効果（α）：　コンテンツ提供者ないしはコンテンツ作成者（サプライヤ）は，課金のためのソフトウェアウエアないしはロジックの構築を行わなくても，コンテンツ利用者（ユーザー）から対価ないしは代金を容易に受け取ることができる。なお，サーバー業者がサプライヤに代行してユーザーに課金し，サーバー業者がユーザーから得た代金をサプライヤに引き渡す場合は，サーバー業者とサプライヤとユーザーとの間での全体としての課金システムないしは決済システムを簡素化することができる。 
 （２）　前置審査官殿の見解１について 
 　ア．　前置審査官殿は，審判請求時の補正は実質的なものではなく，本願発明は依然引用文献１〜４に記載された発明に基づいて当業者が容易に発明をすることができたものである，との見解を示されています。しかしながら，審判請求時の補正が実質的なものであるか否かにかかわりなく，引用文献１〜４に記載された発明は，本件審判理由補充書に記載のとおり，本願の発明特定事項（Ｃ）を備えておらず，かつ本願の顕著な効果（α）を奏することはできないものと思料します。 
 　イ．　要するに，本願発明は，取引の対象物が，コンテンツそのものではなく，各サプライヤに割り当てられたサーバーコンピュータの記憶装置内の記憶領域ないしはデータベースの利用権，すなわちコンテンツの入れ物ないしはコンテンツをやりとりする場である点にとくに特徴があり，この特徴こそが本願発明に進歩性ないしは特許性を付与しているものと思料します。 
 　ウ．　他方，引用文献１〜４に記載された発明では，いずれも，取引の対象物はコンテンツそのものであり，コンテンツの入れ物ないしはコンテンツをやりとりする場ではありません。すなわち，引用文献１〜４に記載された発明は，本願発明に進歩性ないしは特許性を付与する上記特徴を備えていません。 
 　エ．　とくに，引用文献３に記載された発明に係る新聞コンテンツ自動販売システムは，コンテンツ購読者に対する課金システムであって，コンテンツサプライヤに対して課金する仕組みは全く備わっていません。したがって，引用文献３に記載された発明に係るシステムでは，誰もが容易にコンテンツサプライヤになることはできず，またこのシステムはそのようなことを意図したものではありません。 
 　オ．　本願発明は，システムの知識をもたない任意のコンテンツサプライヤが，本システムから有料でコンテンツ公開の場を取得し，サプライヤ自身が購読者から購読料を得ることができるシステムを提供するものであり，いわば商品（コンテンツ）を売るための店舗貸しを行うシステムです。本願発明は，この貸店舗にあたるコンテンツの入れ物ないしはコンテンツをやり取りする場が取引の対象物であり，コンテンツサプライヤに対して課金し，入れ物ないしは場を提供するものです。かくして，コンテンツサプライヤは，本願発明が提供したコンテンツ公開の場を使用して，購読者にコンテンツを販売し，その対価を得ることができます。このように，本願発明は，購読者に対して課金する引用文献３に記載された発明に係るシステムとは構成が全く異なります。 
 　カ．　本願発明によれば，例えば対価を支払ってコンテンツの入れ物を借り又は購入した者は，そのコンテンツの入れ物を用いて，自己の所望のコンテンツを格納したり他人に提供したりすることができます。これは，通常の物品の取引に置き換えれば，店舗（コンテンツの入れ物）を借り又は購入した上で，その店舗を利用して所望の商品（コンテンツ）を販売するようなものといえます。他方，引用文献１〜４に記載された発明では，取引の対象物はコンテンツそのものであってコンテンツの入れ物ではないので，コンテンツを借り又は購入した者は，自己の所望のコンテンツを格納したり他人に提供したりすることは不可能です。これは，通常の物品の取引に置き換えれば，電子取引により所望の商品（コンテンツ）を賃借又は購入するようなものといえます。したがって，本願発明と引用文献１〜４に記載された発明とでは，その産業的な利用分野ないしは利用形態が全く異なります。 
 　キ．　よって，独立形式の請求項１，２，５，６に係る発明（本願発明），ひいては請求項１，２，５，６を引用する請求項３，４，７〜１１に係る発明は，引用文献１〜４に記載された発明に対して進歩性を有するものと思料します。 
 （３）　前置審査官殿の見解２について 
 　ア．　前置審査官殿は，引用文献３に記載の「○×新聞の経済面を１ヶ月分購入するような権利」を設定する場合においても，そのための領域を確保したりアクセス権を設定したりといった初期設定が必要なことは明らかである，との見解を示されています。しかしながら，「○×新聞の経済面を１ヶ月分購入するような権利」を設定する場合において，そのための領域を確保することは，購入者が自己の所望のコンテンツを格納したり他人に提供したりすることができるコンテンツの入れ物を確保することとは全く異なります。 
 　イ．　また，アクセス権を設定することは，アクセス権を得た者が自己の所望のコンテンツを格納したり他人に提供したりすることができるコンテンツの入れ物を確保することとは全く異なります。 
 　ウ．　よって，引用文献３に記載された発明が，領域を確保したりアクセス権を設定したりといった初期設定を行っているとしても，本願発明の発明特定事項（Ｃ）を備えているとはいえないものと思料します。」（第２頁第１１行〜第５頁下から２行）
　
　しかしながら，上記主張については，上記「［相違点１］について」及び「［相違点３］について」で判断したとおりであるから，審判請求人の回答書における主張は採用することができない。
　
　したがって，本件補正発明は，引用例１発明，引用例１記載事項，周知事項及び周知技術に基づいて当業者が容易に発明をすることができたものであるから，特許法第２９条第２項の規定により特許出願の際独立して特許を受けることができないものである。
　
６．本件補正についてのむすび
　したがって，本件補正は，改正前特許法第１７条の２第５項において準用する同法第１２６条第５項の規定に違反するので，同法第１５９条第１項において読み替えて準用する同法第５３条第１項の規定により却下すべきものである。
　
第３　本願発明について
１．本願発明
　平成１９年１０月２２日付け手続補正は，上記のとおり却下されたので，本願の請求項２に係る発明は，平成１９年７月３０日付けの手続補正書によって補正された明細書及び図面の記載からみて，特許請求の範囲の請求項２に記載された事項により特定される次のとおりのものである。（以下，「本願発明」という。）
　
「　【請求項２】
　通信ネットワークを介して互いに接続された，コンテンツ提供者に係属し公開すべきコンテンツを送信するサプライヤコンピュータと，コンテンツ利用者に係属し上記コンテンツを受信するユーザーコンピュータと，サーバー業者に係属し上記コンテンツを送受信するサーバーコンピュータとを含むコンテンツ公開・課金システムであって，
　上記サーバーコンピュータが，
　該サーバーコンピュータの記憶装置の一部をなし，上記サプライヤコンピュータから送信されたコンテンツを受信して格納するコンテンツ格納手段と，
　該サーバーコンピュータの中央処理装置の一部をなし，上記コンテンツ格納手段に格納されているコンテンツを上記ユーザーコンピュータに送信するコンテンツ送信手段と，
　上記中央処理装置の一部をなし，該サーバーコンピュータの利用に関してサーバー業者がコンテンツ提供者に対して課金すべき金額を上記サプライヤコンピュータに送信するとともに，サーバー業者がコンテンツ提供者に代行して，コンテンツ提供者がコンテンツ利用者に対して課金すべき金額を上記ユーザーコンピュータ及び上記サプライヤコンピュータに送信する課金金額送信手段とを備えていて，
　上記課金金額送信手段は，コンテンツ利用者に対する上記課金を，サーバー業者によってコンテンツ提供者に割り当てられた，上記サーバーコンピュータの記憶装置内の記憶領域又はデータベースの利用権を対象として行うことを特徴とするコンテンツ公開・課金システム。」
　
２．引用例
　原査定の拒絶の理由に引用された引用例１には，上記「第２　［理由］３．」に記載したとおりの事項が記載されている。
　
３．対比・判断
　上記「第２　［理由］」で検討した本件補正発明は，本願発明の「サーバーコンピュータ」の機能を「任意のサプライヤに対して個別の専用の記憶領域又はデータベースを割り当てる機能を備え」るものであると限定したものである。
　そうすると，本願発明の構成要件をすべて含み，さらに「サーバーコンピュータ」の機能を限定した本件補正発明が，上記「第２　［理由］５．」に記載したとおり引用例１発明，引用例１記載事項，周知事項及び周知技術に基づいて，当業者が容易に発明をすることができたものであるから，本願発明も同様の理由により，引用例１発明，引用例１記載事項，周知事項及び周知技術に基づいて，当業者が容易に発明をすることができたものである。
　
　そして，本願発明の作用効果も，引用例１，周知事項及び周知技術から当業者が予測できる範囲のものである。 
　
４．むすび 
　以上のとおり，本願発明は，引用例１発明，引用例１記載事項，周知事項及び周知技術に基づいて，当業者が容易に発明をすることができたものであるから，特許法第２９条第２項の規定により特許を受けることができない。 
　
　よって，結論のとおり審決する。